(57)【要約】【課題】複数の足長に対応できるアウトソール構造を提供する。【解決手段】シューズ１の前足部Ｆに配置された前足側アウトソール２０と、シューズ１の踵部Ｈから中足部Ｍにかけての後足部Ｒに配置されるとともに、その前端２１ａが前足側アウトソール２０の後端２０ａにオーバラップして配置され、その踵部位がヒールカウンター部２２を有している後足側アウトソール２１とからアウトソール構造体１を構成する。この場合には、前足側アウトソール２０および後足側アウトソール２１のオーバラップ量を変えることにより、アウトソール構造体１の全長を変えることができ、複数の足長に対応できる。【選択図】    図１
2004194935.tif 000002
【特許請求の範囲】
【請求項１】
シューズのアウトソール構造であって、
シューズの前足部に配置された前足側アウトソールと、
シューズの踵部から中足部にかけての後足部に配置されるとともに、その前端が前記前足側アウトソールにオーバラップして配置され、その踵部位がシューズの踵部の周囲に立ち上がるヒールカウンター部を有している後足側アウトソールとを備え、
前記前足側アウトソールおよび前記後足側アウトソールのオーバラップ量を変えることにより、アウトソール構造全体の足長を変更し得るようになっている、ことを特徴とするシューズのアウトソール構造。
【請求項２】
請求項１において、
前記ヒールカウンター部は、その上縁部の硬度が他の部分の硬度より低くなっている、
ことを特徴とするシューズのアウトソール構造。
【請求項３】
請求項１に記載のアウトソール構造を備えたシューズにおいて、
前記ヒールカウンター部の上縁部が、シューズの甲被部の表材に固着されている、
ことを特徴とするシューズ。
【請求項４】
請求項３において、
前記ヒールカウンター部の前記上縁部の硬度が、前記ヒールカウンター部の他の部分の硬度より低くなっている、
ことを特徴とするシューズ。
【請求項５】
請求項３または４において、
シューズの甲被部の表材の下縁部が、前記ヒールカウンター部の前記上縁部に対応する位置に配置されるとともに、前記ヒールカウンター部の前記上縁部に固着されている、
ことを特徴とするシューズ。
【請求項６】
請求項３において、
シューズの甲被部の前足部分が袋縫いされている、
ことを特徴とするシューズ。
【請求項７】
請求項３において、
シューズの甲被部の前足部分の底側端部が、前記前足側アウトソールの上に配設される中底の底面側に吊り込まれて固着されている、
ことを特徴とするシューズ。
【請求項８】
請求項３において、
シューズの甲被部の裏材が、シューズ前後方向に一体に設けられている、
ことを特徴とするシューズ。
【請求項９】
請求項３において、
シューズの甲被部の裏材が、シューズ前後方向で分離された二つの部分から構成されている、
ことを特徴とするシューズ。
【請求項１０】
請求項９において、
シューズの甲被部の前記裏材が、シューズの後足部に対応する後足部部分と、シューズの前足部に対応する前足部部分との間で分離されている、
ことを特徴とするシューズ。
【請求項１１】
請求項１０において、
前記裏材の前記前足部部分は有底の部材であって袋状に形成されており、前記裏材の前記後足部部分は底面が開口された部材である、
ことを特徴とするシューズ。
【請求項１２】
請求項１０において、
前記裏材の前記前足部部分は底面が開口された部材であり、前記裏材の前記後足部部分は有底の部材であって袋状に形成されている、
ことを特徴とするシューズ。
【請求項１３】
請求項１０において、
前記裏材の前記前足部部分および前記後足部部分が、いずれも有底の部材であって袋状に形成されている、
ことを特徴とするシューズ。
【請求項１４】
請求項１３において、
前記裏材の底面部分が、シューズ前後方向に延びる単一の部材から形成されている、
ことを特徴とするシューズ。
【請求項１５】
請求項１３において、
前記裏材の前記前足部部分および前記後足部部分の各底面部分が、それぞれ別個の部材から形成されるとともに互いに固着されている、
ことを特徴とするシューズ。
【請求項１６】
請求項８ないし１５のいずれかにおいて、
前記裏材の底面部分の外周縁部が、前記裏材の側面部分の底面側外周縁部に固着されている、
ことを特徴とするシューズ。
【請求項１７】
請求項１０において、
前記裏材の前記前足部部分および前記後足部部分は、いずれも底面が開口された部材である、
ことを特徴とするシューズ。
【請求項１８】
請求項３ないし１７のいずれかにおいて、
シューズの内部において前記前足側アウトソールおよび前記後足側アウトソールの少なくとも一部には、シューズ前後方向に延びる補強プレートが配設されている、
ことを特徴とするシューズ。
【請求項１９】
請求項３ないし１７のいずれかにおいて、
シューズの内部において前記前足側アウトソールには、補強プレートが配設されている、
ことを特徴とするシューズ。
【請求項２０】
請求項３ないし１７のいずれかにおいて、
シューズの内部において前記後足部側アウトソールの中足部位および前記前足側アウトソールには、補強プレートが配設されている、
ことを特徴とするシューズ。
【請求項２１】
請求項１８ないし２０のいずれかにおいて、
前記補強プレートは、足の屈曲ラインに対応する部位を境にして、前方部分の剛性が後方部分の剛性よりも高くなっている、
ことを特徴とするシューズ。
【請求項２２】
請求項１８ないし２０のいずれかにおいて、
前記補強プレートは、足の屈曲ラインに対応する部位を境にして、後方部分の剛性が前方部分の剛性よりも高くなっている、
ことを特徴とするシューズ。
【請求項２３】
請求項３ないし２２のいずれかにおいて、
シューズの踵部、中足部または前足部には、緩衝構造体が設けられている、
ことを特徴とするシューズ。
【請求項２４】
請求項２３において、
前記緩衝構造体が、それぞれシューズ前後方向に帯状に延びかつそれぞれ波板状に形成された複数の波形プレートを互いに並設して連結することにより構成されている、
ことを特徴とするシューズ。
【請求項２５】
請求項２３において、
前記各波形プレートの波形状の位相が、隣り合う波形プレートの波形状の位相に対して１／２波長だけずれている。
ことを特徴とするシューズ。
【請求項２６】
請求項３ないし２５のいずれかにおいて、
前記シューズが、前記前足側アウトソールおよび前記後足側アウトソールの各底面に複数のスタッドが設けられたクリーツシューズである、
ことを特徴とするシューズ。
【請求項２７】
請求項３ないし２６のいずれかにおいて、
前記シューズがフットボールシューズである、
ことを特徴とするシューズ。
【請求項２８】
請求項１または２に記載のアウトソール構造を成形するための成形金型において、
前記後足側アウトソールの成形金型が、
前記ヒールカウンター部の内周面側を成形するための上型と、
前記上型に対向配置されるとともに、前記ヒールカウンター部の外周面側を成形するための第１の下型と、
前記上型に対向して前記第１の下型の内方に組み込まれるとともに、前記ヒールカウンター部の底面側を成形するための第２の下型とから構成されている、
ことを特徴とするアウトソール構造の成形金型。
【発明の詳細な説明】
【０００１】
【発明の属する技術分野】
本発明は、複数の足長に対応できるように改良されたアウトソール構造、該アウトソール構造を備えたシューズおよび該アウトソール構造の成形金型に関する。
【０００２】
【従来の技術およびその課題】
一般に、シューズのアウトソールは、シューズの踵部からつま先部まで延設されており、アウトソール上にミッドソール等を介して甲被部を固着することにより、シューズが構成されている。
【０００３】
したがって、従来のシューズにおいては、着用者の足長ごとにアウトソールが用意されており、同一種類のアウトソールは、ただ一種類のサイズのシューズにしか適用できないのが実情である。
【０００４】
その一方、シューズの踵部の安定性やフィット性を向上させるために、シューズの踵部にヒールカウンターを設けることが一般に行われており、特開２００１−４６１０７号公報に示すように、ヒールカウンターをアウトソールと一体に設けることも行われている。
【０００５】
【特許文献１】
特開２００１−４６１０７号公報（図１）
【０００６】
この場合、成形金型が高価なものになるため、たとえば踵部底面に配設されるスタッドの形状や配置の変更などの設計変更の必要が生じた場合に、成形金型の下型全体を変更しなければならないとすると、かなりのコスト高になる。
【０００７】
本発明は、このような従来の実情に鑑みてなされたもので、複数の足長に対応できるアウトソール構造を提供することを目的とする。本発明の他の目的は、このようなアウトソール構造を備えたシューズを提供することにある。本発明のさらに他の目的は、アウトソール構造の設計変更にともなうコストアップを抑制できる成形金型を提供することにある。
【０００８】
【課題を解決するための手段】
請求項１の発明に係るシューズのアウトソール構造は、シューズの前足部に配置された前足側アウトソールと、シューズの踵部から中足部にかけての後足部に配置されるとともに、その前端が前足側アウトソールにオーバラップして配置され、その踵部位がシューズの踵部の周囲に立ち上がるヒールカウンター部を有している後足側アウトソールとを備えている。そして、前足側アウトソールおよび後足側アウトソールのオーバラップ量を変えることにより、アウトソール構造全体の足長を変更し得るようになっている。
【０００９】
請求項１の発明によれば、後足側アウトソールの前端が前足側アウトソールにオーバラップしているので、このオーバラップ量を変えることによって、アウトソール全体の前後方向長さを変えることができ、これにより、複数の足長に対応できるようになる。
【００１０】
また、前足側アウトソールおよび後足側アウトソールが別個の部材から構成されているので、スタッドの本数や形状の変更などにより、アウトソールの前足部位または後足部位の変更が必要になった場合でも、従来のようにアウトソール全体を交換する必要がなくなり、前足側または後足側のいずれかのアウトソールを交換すれば足りる。これにより、設計変更にともなうコストアップを低減できる。
【００１１】
さらに、後足側アウトソールと一体にヒールカウンター部が設けられることにより、着用者の足の踵部に対するフィット性および安定性を向上できる。
【００１２】
請求項２および４の発明においては、ヒールカウンター部の上縁部の硬度がヒールカウンター部の他の部分の硬度より低くなっている。
【００１３】
この場合には、ヒールカウンター部の上縁部が柔軟性を有しているので、着用者の足の個人差を吸収でき、足当たりをソフトにすることができ、これにより、靴擦れを防止できる。
【００１４】
請求項３の発明においては、ヒールカウンター部の上縁部がシューズの甲被部の表材に固着されている。
【００１５】
請求項５の発明においては、シューズの甲被部の表材の下縁部が、ヒールカウンター部の上縁部に対応する位置に配置されるとともに、ヒールカウンター部の上縁部に固着されている。
【００１６】
この場合には、シューズの甲被部の表材がヒールカウンター部の底面まで延設されていないので、甲被部の重量を低減でき、ひいてはシューズ全体の重量を低減できる。また、この場合、甲被部を踵部の立体形状に沿わせやすくなるという利点もある。
【００１７】
請求項６の発明では、シューズの甲被部の前足部分が袋縫いされている。この袋縫いは、着用者の足に対してシューズの前足部をルーズフィット（つまりコンフォートフィット）にし、またシューズの前足部全体の屈曲性を向上させ、さらに素足感覚を実現するのに好適の製法である。
【００１８】
請求項７の発明では、シューズの甲被部の前足部分の下縁部が、前足側アウトソールの上に配設される中底の底面側に吊り込まれて固着されている。この吊り込み式は、着用者の足に対してシューズの前足部をタイトフィットにし、またシューズの前足部全体の屈曲性を抑制し、さらに甲被部をより靴型に沿わせやすくするのに好適の製法である。
【００１９】
請求項８の発明では、シューズの甲被部の裏材がシューズ前後方向に一体に設けられている。この場合には、裏材に縫い目がないことにより、足当たりを向上できる。
【００２０】
請求項９の発明では、シューズの甲被部の裏材が、シューズ前後方向で分離された二つの部分から構成されており、さらに、請求項１０の発明では、シューズの甲被部の裏材が、シューズの後足部に対応する後足部部分と、シューズの前足部に対応する前足部部分との間で分離されている。
【００２１】
これらの場合には、甲被部の裏材のパターン製作が容易になり、裏材のパターンのくせ取りがし易くなるとともに、ラスト（靴型）の曲面形状に沿わせやすくなるという利点もある。
【００２２】
請求項１１の発明では、甲被部の裏材の前足部部分が有底の部材であって袋状に形成されており、裏材の後足部部分の底面が開口している。また、請求項１２の発明では、甲被部の裏材の後足部部分が有底の部材であって袋状に形成されており、裏材の前足部部分の底面が開口している。
【００２３】
これらの場合には、甲被部の裏材の前足部部分または後足部部分のいずれか一方が袋状に形成されないことによって、裏材のパターンのくせ取りがし易くなるとともに、甲被部の裏材全体の重量を低減でき、ひいてはシューズ全体の重量を低減できる。
【００２４】
請求項１３の発明では、裏材の前足部部分および後足部部分が、いずれも有底の部材であって袋状に形成されている。
【００２５】
請求項１４の発明では、裏材の底面部分が、シューズ前後方向に延びる単一の部材から形成されている。この場合には、足裏の足当たりを向上できる。
【００２６】
請求項１５の発明では、裏材の前足部部分および後足部部分の各底面部分が、それぞれ別個の部材から形成されるとともに互いに固着されている。この場合には、裏材の前足部部分および後足部部分について、靴型のエッジ部分でのくせ取りが容易になり、また種目特性に応じて各部分の剛性を容易に異ならせることができる。
【００２７】
請求項１６の発明では、裏材の底面部分の外周縁部が、接着または縫製などにより、裏材の側面部分の底面側外周縁部に固着されている。この場合には、裏材の底面部分の剛性を容易に異ならせることができるとともに、足裏が当接する部位に縫い目が生じないので、足当たりをソフトにできる。また、裏材の底面部分が側面部分とは別個の部材で構成されるので、たとえば側面部材には通気性に優れた材料を、また底面部分には耐摩耗性およびクッション性に優れた材料を用いることができる。なお、この場合には、裏材の底面部分が中底として機能している。
【００２８】
請求項１７の発明では、裏材の前足部部分および後足部部分の各底面が開口している。
【００２９】
請求項１８の発明によれば、シューズの内部において前足側アウトソールおよび後足側アウトソールの少なくとも一部には、シューズ前後方向に延びる補強プレートが配設されている。この場合には、シューズ前後方向のアウトソールの剛性が一様に高くなることにより、屈曲性を抑制でき、安定性を向上できるとともに、スタッドからの突き上げ力を緩和できるアウトソールが実現される。
【００３０】
請求項１９の発明では、シューズの内部において前足側アウトソールに補強プレートが配設されている。この場合には、シューズの前足部においてシューズの安定性を維持しつつスタッドからの突き上げ力を緩和でき、また、シューズの後足部においてクッション性を向上でき、素足感覚を実現できる。
【００３１】
請求項２０の発明では、シューズの内部において後足部側アウトソールの中足部位および前足側アウトソールには、補強プレートが配設されている。この場合には、シューズの前足部の安定性を維持しつつスタッドからの突き上げ力を緩和できるとともに、中足部のシャンク効果により、プロネーション（回内）等に伴う障害を防止できる。
【００３２】
請求項２１の発明では、補強プレートの剛性に関し、足の屈曲ラインに対応する部位を境にして、前方部分の剛性が後方部分の剛性よりも高くなっている。ここで、足の屈曲ラインとは、足の各足指の中足趾節関節を結んでできるラインを指す。この場合には、足の屈曲ラインより前方の部分においてシューズの安定性を維持しつつスタッドからの突き上げ力を緩和でき、また、屈曲ラインより後方の部分においてクッション性を向上でき、素足感覚を実現できる。
【００３３】
請求項２２の発明では、補強プレートの剛性に関し、足の屈曲ラインに対応する部位を境にして、後方部分の剛性が前方部分の剛性よりも高くなっている。この場合には、足の屈曲ラインより後方の部分においてシューズの安定性を維持しつつスタッドからの突き上げ力を緩和でき、また、屈曲ラインより前方の部分においてクッション性を向上でき、素足感覚を実現できる。
【００３４】
請求項２３の発明においては、アウトソールの踵部、中足部または前足部に緩衝構造体が設けられているので、アウトソールの踵部、中足部または前足部の安定性を損なわずにクッション性を向上でき、着用者の足の踵部、中足部または前足部に障害が発生するのを防止できる。
【００３５】
請求項２４の発明においては、緩衝構造体が、それぞれシューズ前後方向に帯状に延びかつそれぞれ波板状に形成された複数の波形プレートを互いに並設して連結することにより構成されている。
【００３６】
この場合には、競技時において着地の際にシューズの踵部または前足部に衝撃荷重が作用したとき、各波形プレートの波形状の山の部分が下方に沈み込むように変形するとともに、波形状の谷の部分が上方に持ち上がるように変形することにより、衝撃荷重を吸収できる。また、この場合には、隣り合う各波形プレートの連結部分が各波形状部分の変形を抑制するので、各波形状部分の変形と相俟って衝撃荷重をより効果的に吸収できる。
【００３７】
請求項２５の発明においては、各波形プレートの波形状の位相が、隣り合う波形プレートの波形状の位相に対して１／２波長だけずれている。
【００３８】
請求項２６の発明では、シューズが、前足側アウトソールおよび後足側アウトソールの各底面に複数のスタッドが設けられたクリーツシューズである。
【００３９】
請求項２７の発明では、シューズがフットボールシューズである。
【００４０】
請求項２８の発明に係る成形金型は、請求項１または２に記載のアウトソール構造を成形するためのものであって、後足側アウトソールの成形金型が、ヒールカウンター部の内周面側を成形するための上型と、上型に対向配置されるとともに、ヒールカウンター部の外周面側を成形するための第１の下型と、上型に対向して第１の下型の内方に組み込まれるとともに、ヒールカウンター部の底面側を成形するための第２の下型とから構成されている。
【００４１】
請求項２８の発明によれば、アウトソールの踵部におけるスタッド配置の変更などの設計変更の必要が生じた場合には、第２の下型のみの変更ですみ、上型および第１の下型を変更する必要がないので、アウトソール構造の設計変更にともなうコストアップを抑制できる。
【００４２】
【発明の実施の形態】
以下、本発明の実施態様を添付図面に基づいて説明する。
図１ないし図１２は、本発明によるアウトソール構造、シューズおよび成形金型を説明するための図であって、図１はシューズの内甲側の側面図、図２はその底面図、図３はアウトソール構造の底面概略図、図４はシューズの前足部の断面図、図５は図４の変形例を示す図、図６はシューズの甲被部の底面側斜視図、図７は図６の第１の変形例を示す図、図８は図６の第２の変形例を示す図、図９は図６の第３の変形例を示す図、図１０は図６の第４の変形例を示す図、図１１は緩衝構造体の斜視部分図、図１２はアウトソール構造の後足側アウトソールの成形金型を説明するための図である。なお、ここでは、シューズの一例としてフットボールシューズを例にとっているが、本発明はフットボールシューズ以外の各種スポーツシューズ（スタッドのないものも含む）にも適用可能である。
【００４３】
図１および図２に示すように、シューズ１は、アウトソール構造体２と、該アウトソール構造体２の上に設けられた甲被部３とを備えている。
【００４４】
アウトソール構造体２は、シューズ１の主に前足部Ｆに配設された前足側アウトソール２０と、シューズ１の主に踵部Ｈから中足部Ｍにかけての後足部Ｒに配設された後足側アウトソール２１とから構成されている。
【００４５】
後足側アウトソール２１の前端２１ａは、前足側アウトソール２０の後端２０ａの上にオーバラップして配置されている。図３に示すように、前足側アウトソール２０と後足側アウトソール２１のオーバラップ量（斜線部分）を変えることにより、同図（ａ）に示すような足長Ｌの状態から、同図（ｂ）に示すように、足長Ｌに対してΔＬだけ短い足長Ｌ′の状態にすることができる。このようにして、複数の足長に容易に対応できるようになる。
【００４６】
なお、前足側アウトソール２０の後端２０ａ寄りの内甲側縁部には、図１に示すように、上方に立ち上がる巻上げ部２０ｂが形成されている。前足側アウトソール２０の後端２０ａおよび後足側アウトソール２１の前端２１ａのオーバラップ部分の内甲側縁部は、足長に応じて湾曲度合いが大きく異なるため、このような巻上げ部２０ｂがあることにより、オーバラップ量を変えたときに各アウトソール２０，２１を無理なく連結できるようになる。また、この巻上げ部２０ｂは、各アウトソール２０，２１に連結個所があることを外観上分かりにくくしており、美観の向上にも寄与している。
【００４７】
後足側アウトソール２１の踵部位には、シューズの踵部Ｈの周囲に立ち上がって踵部Ｈを囲繞するヒールカウンター部２２が一体に設けられている。このヒールカウンター部２２により、着用者の足の踵部に対するフィット性および安定性を向上できる。
【００４８】
ヒールカウンター部２２の上縁部２２ａの硬度は、ヒールカウンター部２２の他の部分の硬度よりも低くなっている。このため、ヒールカウンター部２２の上縁部２２ａは他の部分よりも柔軟性を有しており、これにより、着用者の足に対する足当たりをソフトにすることができ、靴擦れを防止できる。
【００４９】
なお、前足側アウトソール２０および後足側アウトソール２１の底面には、複数のスタッド２５が設けられている。ここでは、スタッド２５が各アウトソール２０，２１の底面に一体に形成された例を示しているが、スタッド２５は、各アウトソール２０，２１の底面に形成した取付穴に着脱可能に設けるようにしてもよい。
【００５０】
甲被部３は、図１に示すように、シューズ外表面に配設される表材３０と、表材３０の裏面に装着されてシューズ内表面に配設される裏材３１とから構成されている。表材３０の踵部位の下縁部３０ａは、好ましくはヒールカウンター部２２の上縁部２２ａに対応する位置、つまりここでは上縁部２２ａの若干下方の位置に配置されており、上縁部２２ａに固着されている。このように、甲被部３の表材３０がヒールカウンター部２２の底面まで延設されていないことにより、甲被部３の重量を低減でき、ひいてはシューズ全体の重量を低減できるとともに、甲被部３を踵部の立体形状に沿わせやすくなる。
【００５１】
シューズ１の前足部Ｆの断面を示す図４に示されているように、甲被部３の前足部位において、表材３０および裏材３１の底側端部３０Ａ，３１Ａは、底部に配設された別部材のシート材３２と突き合わされるとともに、シート材３２に縫製（つまり袋縫い）されており、これにより、甲被部３の底部は袋状に形成されている。したがって、この例では、シート材３２が中底の機能を果たしている。なお、図４では、甲被部３の内部にインソール４が配設されたものが示されている。
【００５２】
この場合には、着用者の足に対してシューズ１の前足部Ｆをルーズフィット（コンフォートフィット）にすることができるとともに、シューズの前足部全体の屈曲性を向上させることができ、素足感覚を実現できる。
【００５３】
シューズ１の前足部Ｆの断面構造としては、図５に示すような構造を採用するようにしてもよい。この場合には、甲被部３の前足部位において、表材３０および裏材３１の底側端部３０Ａ，３１Ａは、底部に配設された別部材の補強プレート５の底面側に吊り込まれた状態で補強プレート５に接着されている。また、この場合には、シューズ１の前足部Ｆにおいてシューズの安定性を維持しつつスタッドからの突き上げ力を緩和でき、また、シューズの後足部Ｒにおいてクッション性を向上でき、素足感覚を実現できる。
【００５４】
この場合には、着用者の足に対してシューズ１の前足部Ｆをタイトフィットにすることができ、シューズの前足部の屈曲性をある程度抑制することができるとともに、甲被部を靴型の形状に沿わせやすくなる。
【００５５】
なお、補強プレート５は、甲被部３の後足部にも配置するようにしてもよい。この場合には、アウトソールの剛性がシューズ前後方向で一様に高くなることにより、シューズの屈曲性を抑制でき、安定性を向上できるとともに、スタッドからの突き上げ力を緩和できるアウトソールが実現される。
【００５６】
補強プレート５は、図２に示す足の屈曲ラインＭＪに対応する部位を境にして、前方部分の剛性が後方部分の剛性よりも高くなるようにしてもよい。ここで、足の屈曲ラインＭＪとは、足の各足指の中足趾節関節を結んでできるラインを指す。この場合には、足の屈曲ラインＭＪより前方の部分においてシューズの安定性を維持しつつスタッドからの突き上げ力を緩和でき、また、屈曲ラインＭＪより後方の部分においてクッション性を向上でき、素足感覚を実現できる。
【００５７】
補強プレート５の剛性に関しては、足の屈曲ラインＭＪに対応する部位を境にして、後方部分の剛性が前方部分の剛性よりも高くなるようにしてもよい。この場合には、足の屈曲ラインＭＪより後方の部分においてシューズの安定性を維持しつつスタッドからの突き上げ力を緩和でき、また、屈曲ラインＭＪより前方の部分においてクッション性を向上でき、素足感覚を実現できる。
【００５８】
補強プレート５は、シューズの内部において後足側アウトソール２１の中足部位および前足側アウトソールに設けるようにしてもよい。この場合には、シューズの前足部Ｆの安定性を維持しつつスタッドからの突き上げ力を緩和できるとともに、中足部Ｍのシャンク効果を発揮できる。
【００５９】
シューズ１の甲被部３の裏材３１は、図６に示すように、シューズの踵部から前足部にかけて延設されており、アウトソール構造体２の底面部分に対応する底面部３２と、その周囲に配設された周壁部３３とから構成されている。周壁部３３の下縁部は底面部３２の外周縁部に縫製されている。この場合には、裏材３１の底面部３２が、シューズの踵部から前足部にかけて延設された単一の部材から形成されており、縫い目がないので、着用者の足に対する足当たりを向上できる。また、この場合、底面部３２が中底として機能している。
【００６０】
なお、甲被部３の裏材３１の構成としては、図６に示すものには限定されない。図７ないし図１０は、それぞれ図６の第１ないし４の変形例を示しており、これらの図において、同一符号は同一または相当部分を示している。
【００６１】
図７に示す第１の変形例では、裏材３１がシューズ前後方向で分離された二つの部分から構成されている。すなわち、裏材３１の底面部が、中底として機能する第１および第２の底面部３２Ａ，３２Ｂから構成され、周壁部が第１および第２の周壁部３３Ａ，３３Ｂから構成されている。第１の底面部３２Ａおよび第１の周壁部３３Ａは、シューズの前足部Ｆに対応する領域に配設されており、第２の底面部３２Ｂおよび第２の周壁部３３Ｂは、シューズの後足部Ｒに対応する領域に配設されている。そして、第１および第２の底面部３２Ａ，３２Ｂは互いに縫製されることにより一体化されており、同様に、第１および第２の周壁部３３Ａ，３３Ｂは互いに縫製されることにより一体化されている。
【００６２】
この場合には、甲被部３の裏材３１のパターン製作が容易になり、裏材３１のパターンのくせ取りがし易くなるとともに、ラスト（靴型）の曲面形状に沿わせやすくなるという利点がある。また、第１および第２の底面部３２Ａ，３２Ｂとして剛性の異なる部材を用いるようにすることによって、裏材３１の前足部位および後足部位間の剛性を容易に異ならせることができる。
【００６３】
次に、図８に示す第２の変形例では、裏材３１は、シューズ前足側に中底として底面部３２Ａを有しているが、シューズ後足側には底面部がなく、開口３１ａが形成されている。また、図９に示す第３の変形例では、図８とは逆に、シューズ後足側に底面部３２Ｂを有しているが、シューズ前足側には底面部がなく、開口３１ｂが形成されている。
【００６４】
これらの場合には、甲被部３の裏材３１の前足部位または後足部位のいずれか一方が底面部を有していないことにより、裏材３１のパターンのくせ取りがし易くなるとともに、甲被部３の裏材３１全体の重量を低減でき、ひいてはシューズ全体の重量を低減できる。
【００６５】
図１０に示す第４の変形例では、裏材３１には、シューズ前足側およびシューズ後足側のいずれにも底面部がなく、シューズ前後方向に延びる開口３１ｃが形成されている。この場合には、裏材３１のパターンのくせ取りがさらに容易になり、甲被部３の裏材３１全体の重量、ひいてはシューズ全体の重量を一層低減できる。
【００６６】
図２に示すように、アウトソール構造体１の踵部位には、緩衝構造体５０が設けられている。図２では、後足側アウトソール２１の踵部位の一部が透明樹脂で構成されているため、緩衝構造体５０の一部が後足側アウトソール２１の底面側から透けて見えている状態が示されている。
【００６７】
緩衝構造体５０は、図１１に示すように、それぞれシューズ前後方向に帯状に延びかつそれぞれ波板状に形成された複数の波形プレート５１，５２を互いに並設することにより構成されており、各波形プレート５１，５２の波形状の位相は、隣り合う波形プレート５２，５１の位相に対して１／２波長だけずれている。また、各波形プレート５１，５２は、連結部５３により互いに連結されている。
【００６８】
この場合には、競技時において着地の際にシューズ１の踵部Ｈに衝撃荷重が作用したとき、各波形プレート５１，５２の波形状の山の部分が下方に沈み込むように変形するとともに、波形状の谷の部分が上方に持ち上がるように変形することにより、踵部に作用する衝撃荷重を吸収できる。また、この場合には、隣り合う各波形プレート５１，５２の連結部５３が各波形状部分の変形を抑制するので、各波形状部分の変形と相俟って衝撃荷重をより効果的に吸収できる。なお、緩衝構造体５０は、シューズ１の中足部Ｍまたは前足部Ｆに設けるようにしてもよい。
【００６９】
次に、アウトソール構造体２を成形する成形金型について、図１２を用いて説明する。
図１２は、アウトソール構造体２の後足側アウトソール２１の成形金型を示している。この成形金型１００は、後足側アウトソール２１の内表面側を成形するための昇降可能な上型１０１と、上型２１の両側方において互いに接近・離反可能に設けられ、後足側アウトソール２１の内甲側および外甲側の各外表面をそれぞれ成形するための内甲型１０２および外甲型１０３と、上型１０１の下方に配置された一対の下型（第１の下型）１０４，１０５と、上型１０１の下方において各下型１０４，１０５の内方に組み込まれるとともに、後足側アウトソール２１の底面部位を成形するための下型（第２の下型）１０６とから構成されている。
【００７０】
この場合には、アウトソール構造体２の踵部位におけるスタッド配置の変更などの設計変更の必要が生じた場合には、第２の下型１０６のみの変更ですみ、上型１０１および第１の下型１０４，１０５などを変更する必要がないので、アウトソール構造の設計変更にともなうコストアップを抑制できる。
【００７１】
【発明の効果】
以上のように、本発明に係るアウトソール構造およびシューズによれば、前足側アウトソールおよび後足側アウトソールからアウトソール構造を構成するとともに、後足側アウトソールの前端を前足側アウトソールにオーバラップさせるようにしたので、このオーバラップ量を変えることによって、アウトソール全体の前後方向長さを変えることができ、複数の足長に対応できるようになる効果がある。また本発明によれば、アウトソール構造の設計変更にともなうコストアップを抑制できる成形金型を実現できる効果がある。
【図面の簡単な説明】
【図１】本発明の一実施態様によるアウトソール構造を備えたシューズの内甲側の側面図である。
【図２】シューズ（図１）の底面図である。
【図３】アウトソール構造（図１）の底面概略図であって、前足側アウトソールおよび後足側アウトソールのオーバーラップ量を変えた場合の足長の変化を示す図である。
【図４】シューズ（図１）の前足部の断面図である。
【図５】図４の変形例を示す図である。
【図６】シューズ（図１）の甲被部の裏材の底面側斜視図である。
【図７】図６の第１の変形例を示す図である。
【図８】図６の第２の変形例を示す図である。
【図９】図６の第３の変形例を示す図である。
【図１０】図６の第４の変形例を示す図である。
【図１１】シューズ（図１）に適用される緩衝構造体の斜視部分図である。
【図１２】アウトソール構造（図１）の成形金型を説明するための断面部分図である。
【符号の説明】
１：  シューズ
２：  アウトソール構造体
２０：  前足側アウトソール
２０ａ：  後端
２１：  後足側アウトソール
２１ａ：  前端
２２：  ヒールカウンター部
２２ａ：  上縁部
３：  甲被部
３０：  表材
３０Ａ：  底側端部
３１：  裏材
３１Ａ：  底側端部
３１ａ，３１ｂ，３１ｃ：  開口
３２：  底面部
３２Ａ：  第１の底面部
３２Ｂ：  第２の底面部
３３：  周壁部
３３Ａ：  第１の周壁部
３３Ｂ：  第２の周壁部
５：  補強プレート
５０：  緩衝構造体
５１，５２：  波形プレート
１００：  成形金型
１０１：  上型
１０４，１０５：  第１の下型
１０６：  第２の下型
Ｆ：  前足部
Ｒ：  後足部
Ｈ：  踵部
Ｍ：  中足部
ＭＪ：屈曲ライン
【図１】
2004194935.tif 000003
【図２】
2004194935.tif 000004
【図３】
2004194935.tif 000005
【図４】
2004194935.tif 000006
【図５】
2004194935.tif 000007
【図６】
2004194935.tif 000008
【図７】
2004194935.tif 000009
【図８】
2004194935.tif 000010
【図９】
2004194935.tif 000011
【図１０】
2004194935.tif 000012
【図１１】
2004194935.tif 000013
【図１２】
2004194935.tif 000014